【手続補正書】
【提出日】平成17年7月14日(2005.7.14)
【手続補正１】
【補正対象書類名】明細書
【補正対象項目名】特許請求の範囲
【補正方法】変更
【補正の内容】
【特許請求の範囲】
【請求項１】  インクジェット印刷のための基材を表面処理するのに有用な組成物であって、デンプン及びサイズ剤をさらに含む水性サイズ媒体中に約ｐＨ７〜約ｐＨ９で可溶性の２価金属の塩を必須の構成要素とする組成物。
【請求項２】  インクジェット印刷のための基材を表面処理するのに有用な組成物であって、デンプン及びサイズ剤をさらに含む水性サイズ媒体中に約ｐＨ７〜約ｐＨ９で溶解された２価金属の塩を必須の構成要素とする組成物。
【請求項３】  顔料インクを用いるインクジェット印刷のための基材を表面処理するのに有用な組成物であって、デンプン、サイズ剤、及び、塩化カルシウム、塩化マグネシウム、臭化カルシウム、臭化マグネシウム、硝酸カルシウム、硝酸マグネシウム、酢酸カルシウム及び酢酸マグネシウムから選択される塩を必須の構成要素とする組成物。
【請求項４】  塩が、塩化カルシウム、塩化マグネシウム、臭化カルシウム、臭化マグネシウム、硝酸カルシウム、硝酸マグネシウム、酢酸カルシウム及び酢酸マグネシウムから選択される、請求項１又は２記載の組成物。
【請求項５】  塩が、塩化カルシウムである、請求項１〜４のいずれか１項記載の組成物。
【請求項６】  塩が、塩化マグネシウムである、請求項１〜４のいずれか１項記載の組成物。
【請求項７】  水溶性ポリマーをさらに含む、請求項１〜６のいずれか１項記載の組成物。
【請求項８】  水溶性ポリマーが、ポリビニルアルコール、ポリビニルピロリドン及びポリエチレンイミンから選択される、請求項７記載の組成物。
【請求項９】  サイズ剤が、反応性サイズ剤である、請求項１〜８のいずれか１項記載の組成物。
【請求項１０】  反応性サイズ剤が、アルキルケテンダイマー、アルケニルケテンダイマー、２−オキセタノンダイマー、２−オキセタノンマルチマー及びアルケニル無水コハク酸から選択される、請求項９記載の組成物。
【請求項１１】  反応性サイズ剤が、アルケニルケテンダイマーである、請求項１０記載の組成物。
【請求項１２】  反応性サイズ剤が、２−オキセタノンマルチマーである、請求項１０記載の組成物。
【請求項１３】  サイズ剤が、非反応性サイズ剤である、請求項１〜８のいずれか１項記載の組成物。
【請求項１４】  非反応性サイズ剤をさらに含む、請求項９〜１２のいずれか１項記載の組成物。
【請求項１５】  非反応性サイズ剤が、カチオン性ポリマー乳濁液、両性ポリマー乳濁液及びそれらの混合物から選択されるポリマー乳濁液である、請求項１３又は１４記載の組成物。
【請求項１６】  ポリマー乳濁液のポリマーが、スチレン、α−メチルスチレン、１〜１３個の炭素原子を有するエステル置換基を有するアクリレート、１〜１３個の炭素原子を有するエステル置換基を有するメタクリレート、アクリロニトリル、メタクリロニトリル、ビニルアセテート、エチレン及びブタジエンから選択される少なくとも１つのモノマーを用いて作られ；場合によってはアクリル酸、メタクリル酸、無水マレイン酸、無水マレイン酸のエステル又はそれらの混合物を含み、酸数が約８０未満の、請求項１５記載の組成物。
【請求項１７】  ポリマーが、スチレン、１〜１３個の炭素原子を有するエステル置換基を有するアクリレート、１〜１３個の炭素原子を有するエステル置換基を有するメタクリレート、アクリロニトリル及びメタクリロニトリルから選択される少なくとも１つのモノマーを用いて作られている、請求項１５記載の組成物。
【請求項１８】  ポリマー乳濁液が、分解デンプンを主に含む安定剤によって安定化されている、請求項１５記載の組成物。
【請求項１９】  ポリマー乳濁液が、約−１５℃〜約５０℃のガラス転移温度を有する、請求項１５記載の組成物。
【請求項２０】  非反応性サイズ剤が、分散ロジンサイズ剤である、請求項１３又は１４記載の組成物。
【請求項２１】  請求項１〜２０のいずれか１項記載の組成物を用いて表面サイジングされている紙。
【請求項２２】  請求項１〜２０のいずれか１項記載の組成物を用いて表面処理されているポリマー状プラスチック材料。
【請求項２３】  顔料インクを用いるインクジェット印刷によって形成される表示を保持することができるインクジェット印刷基材の製造方法であって、
（ａ）サイズ剤をさらに含む水性サイズ媒体中に約ｐＨ７〜約ｐＨ９で可溶性の２価金属の塩を含む組成物を用いて基材を表面処理する工程；及び
（ｂ）処理された基材を乾燥させる工程
を含む方法。
【請求項２４】  顔料インクを用いるインクジェット印刷によって形成される表示を保持することができるインクジェット基材の製造方法であって、
（ａ）サイズ剤をさらに含む水性サイズ媒体中に約ｐＨ７〜約ｐＨ９で溶解された２価金属の塩を含む組成物を用いて基材を表面処理する工程；及び
（ｂ）処理された基材を乾燥させる工程
を含む方法。
【請求項２５】  顔料インクを用いるインクジェット印刷によって形成される表示を保持することができるインクジェット基材の製造方法であって、
（ａ）デンプン、サイズ剤、及び、塩化カルシウム、塩化マグネシウム、臭化カルシウム、臭化マグネシウム、硝酸カルシウム、硝酸マグネシウム、酢酸カルシウム及び酢酸マグネシウムからなる群から選択される塩を本質的な構成要素とする組成物を用いて基材を表面処理する工程；及び
（ｂ）処理された基材を乾燥させる工程
を含む方法。
【請求項２６】  塩が、塩化カルシウム、塩化マグネシウム、臭化カルシウム、臭化マグネシウム、硝酸カルシウム、硝酸マグネシウム、酢酸カルシウム及び酢酸マグネシウムから選択される、請求項２３又は２４記載の方法。
【請求項２７】  塩が、ハロゲン化カルシウム及びハロゲン化マグネシウムから選択される、請求項２３又は２４記載の方法。
【請求項２８】  塩が、塩化カルシウムである、請求項２３〜２７のいずれか１項記載の方法。
【請求項２９】  塩が、塩化マグネシウムである、請求項２３〜２７のいずれか１項記載の方法。
【請求項３０】  組成物が、さらに水溶性ポリマーを含む、請求項２３〜２９のいずれか１項記載の方法。
【請求項３１】  水溶性ポリマーが、ポリビニルアルコール、ポリビニルピロリドン及びポリエチレンイミンから選択される、請求項３０記載の方法。
【請求項３２】  サイズ剤が、反応性サイズ剤である、請求項２３〜３１のいずれか１項記載の方法。
【請求項３３】  反応性サイズ剤が、アルキルケテンダイマー、アルケニルケテンダイマー、２−オキセタノンダイマー、２−オキセタノンマルチマー、及びアルケニル無水コハク酸サイズ剤から選択される、請求項３２記載の方法。
【請求項３４】  反応性サイズ剤が、アルケニルケテンダイマーである、請求項３３項記載の方法。
【請求項３５】  反応性サイズ剤が、２−オキセタノンマルチマーである、請求項３３項記載の方法。
【請求項３６】  サイズ剤が、非反応性サイズ剤である、請求項２３〜３１のいずれか１項記載の方法。
【請求項３７】  サイズ剤が、非反応性サイズ剤をさらに含む、請求項３２〜３５のいずれか１項記載の方法。
【請求項３８】  非反応性サイズ剤が、カチオン性ポリマー乳濁液、両性ポリマー乳濁液及びそれらの混合物から選択されるポリマー乳濁液である、請求項３６又は３７記載の方法。
【請求項３９】  ポリマー乳濁液のポリマーが、スチレン、α−メチルスチレン、１〜１３個の炭素原子を有するエステル置換基を有するアクリレート、１〜１３個の炭素原子を有するエステル置換基を有するメタクリレート、アクリロニトリル、メタクリロニトリル、ビニルアセテート、エチレン及びブタジエンから選択される少なくとも１つのモノマーを用いて作られ；場合によってはアクリル酸、メタクリル酸、無水マレイン酸、無水マレイン酸のエステル又はそれらの混合物を含み、酸数が約８０未満の、請求項３８記載の方法。
【請求項４０】  ポリマーが、スチレン、１〜１３個の炭素原子を有するエステル置換基を有するアクリレート、１〜１３個の炭素原子を有するエステル置換基を有するメタクリレート、アクリロニトリル及びメタクリロニトリルから選択される少なくとも１つのモノマーを用いて作られている、請求項３８記載の組成物。
【請求項４１】  ポリマー乳濁液が、分解デンプンを主に含む安定剤によって安定化されている、請求項３８記載の方法。
【請求項４２】  ポリマー乳濁液が、約−１５℃〜約５０℃のガラス転移温度を有する、請求項３８記載の方法。
【請求項４３】  非反応性サイズ剤が、分散ロジンサイズ剤である、請求項３６又は３７記載の方法。
【請求項４４】  表面処理が、サイズプレスの際に行われる、請求項２３〜４３のいずれか１項記載の方法。
【請求項４５】  基材が、紙及びポリマー状プラスチック材料からなる群から選択される、請求項２３〜４４のいずれか１項記載の方法。
【請求項４６】  表面処理が、サイズプレスを用いる表面サイジングであり、基材が、主にセルロース繊維である繊維を含む紙である、請求項２３〜４５のいずれか１項記載の方法。
【請求項４７】  紙が、実質的に完全にセルロース繊維である繊維を含む、請求項４６記載の方法。
【請求項４８】  基材が、ポリマー状プラスチック材料である、請求項４５記載の方法。
【請求項４９】  塩が、乾燥された処理された基材の重量に基づいて約０．０１％〜約０．４％の量で存在する、請求項２３〜４８のいずれか１項記載の方法。
【請求項５０】  塩が、乾燥された処理された基材の重量に基づいて約０．０２％〜約０．３％の量で存在する、請求項２３〜４８のいずれか１項記載の方法。
【請求項５１】  塩が、乾燥された処理された基材の重量に基づいて約０．０５％〜約０．２％の量で存在する、請求項２３〜４８のいずれか１項記載の方法。
【請求項５２】  塩が、処理された基材中に、約０．０１ｇ／ｍ２〜約１ｇ／ｍ２の量で存在する、請求項２３〜５１のいずれか１項記載の方法。
【請求項５３】  塩が、処理された基材中に、約０．０２ｇ／ｍ２〜約０．３ｇ／２の量で存在する、請求項２３〜５１のいずれか１項記載の方法。
【請求項５４】  塩が、処理された基材中に、約０．０３ｇ／ｍ２〜約０．２ｇ／ｍ２の量で存在する、請求項２３〜５１のいずれか１項記載の方法。
【請求項５５】  基材が、約６０ｇ／ｍ２〜約１００ｇ／ｍ２のベース重量を有する印刷及びライティング紙である、請求項２３〜５４のいずれか１項記載の方法。
【請求項５６】  基材が、約４０ｇ／ｍ２〜約６０ｇ／ｍ２のベース重量を有する新聞用紙である、請求項２３〜５４のいずれか１項記載の方法。
【請求項５７】  基材が、約５０ｇ／ｍ２〜約１２０ｇ／ｍ２のベース重量を有するクラフト紙である、請求項２３〜５４のいずれか１項記載の方法。
【請求項５８】  基材が、約１２０ｇ／ｍ２〜約４００ｇ／ｍ２のベース重量を有するホワイトトップ外装用ライナー（段ボール原紙）である、請求項２３〜５４のいずれか１項記載の方法。
【請求項５９】  請求項２３〜４７及び４９〜５８のいずれか１項記載の方法にしたがって製造された紙。
【請求項６０】  請求項２３〜４５及び４８〜５４のいずれか１項記載の方法にしたがって製造されたポリマー状プラスチック材料。
【請求項６１】  請求項２３〜６０のいずれか１項記載の方法にしたがって製造された印刷基材であって、乾燥された処理された基材の上に顔料インクから形成された表示を有することができ、その表示が、塩を用いないで請求項２３〜６０のいずれか１項記載の方法にしたがって処理された印刷基材と比較して、少なくとも１つの改良されたインクジェット印刷特性を有する印刷基材。
【請求項６２】  改良されたインクジェット印刷特性が、光学密度、透き通し、ライングロース、ブリード、エッジラフネス、吸上及びモットルからなる群から選択される少なくとも１つである、請求項６１記載の印刷基材。
【請求項６３】  改良されたインクジェット印刷特性が、光学密度である、請求項６２記載の印刷基材。
【請求項６４】  基材が、紙である、請求項６１〜６３のいずれか１項記載の印刷基材。
【請求項６５】  紙が、主にセルロース繊維である繊維を含む、請求項６４記載の印刷基材。
【請求項６６】  紙が、実質的に完全にセルロース繊維である繊維を含む、請求項６５記載の印刷基材。
【請求項６７】  基材が、ポリマー状プラスチック材料である、請求項６１〜６３のいずれか１項記載の印刷基材。
【請求項６８】  乾燥された処理された基材にインクジェット印刷によって適用された顔料インクから形成された表示を基材上にさらに含む、請求項６１〜６７のいずれか１項記載の印刷基材。
【請求項６９】  表面処理された基材上に顔料インクのインクジェット印刷によって形成される表示の印刷品質を改良する方法であって、請求項２３〜６８のいずれか１項にしたがって基材を表面処理し、乾燥する工程、及び乾燥された処理された基材上にインクジェット印刷によって顔料インクを印刷し表示を形成させる工程を含む方法。
【請求項７０】  基材が紙である、請求項６９記載の方法にしたがって製造されたインクジェット印刷紙。
【請求項７１】  表示が、塩を用いないで請求項６９記載の方法にしたがって処理された紙と比較して、少なくとも１つの改良されたインクジェット印刷特性を有する、請求項６９記載の方法にしたがって製造されたインクジェット印刷紙。
【請求項７２】  改良されたインクジェット印刷特性が、光学密度、透き通し、ライングロース、ブリード、エッジラフネス、吸上及びモットルからなる群から選択される少なくとも１つである、請求項７１記載のインクジェット印刷紙。
【請求項７３】  改良されたインクジェット印刷特性が、光学密度である、請求項７２記載のインクジェット印刷紙。
【請求項７４】  紙が、主にセルロース繊維である繊維を含む、請求項２１、５９及び７０〜７３のいずれか１項記載の紙。
【請求項７５】  紙が、実質的に完全にセルロース繊維である繊維を含む、請求項７４記載の紙。
【手続補正２】
【補正対象書類名】明細書
【補正対象項目名】００２９
【補正方法】変更
【補正の内容】
【００２９】
染料ベースのインクを用いるインクジェット印刷に好適な紙は、Ｋｕｒｏｙａｍａらによる米国特許第５，５２２，９６８号、Ｓｕｚｕｋｉらによる米国特許第５，６２０，７９３号、及びＳａｋａｋｉらによる米国特許第５，２６６，３８３号及び第５，１８２，１７５号に記載されている。日本国特許出願公開公報５９０９６９８８号は、インクジェット印刷用の紙を処理する組成物中に各種金属塩を使用することを開示している。しかしながら、このような組成物は、コート紙の製造において通常用いる不溶性無機充填剤の濃度が相対的に高い。
【手続補正３】
【補正対象書類名】明細書
【補正対象項目名】０１５５
【補正方法】削除
【補正の内容】